(57)【特許請求の範囲】
【請求項１】
可撓性の挿入部の基端に操作部が連結された構成のベッドサイドスコープを洗浄消毒するためのベッドサイドスコープ用洗浄消毒装置であって、
上記ベッドサイドスコープを出し入れするための上端開口が上端部に開口形成されて、上記操作部を保持するための操作部保持部が内部に形成されると共に、上記挿入部を下方に延出させるための底孔が底部に開口形成された筒状の洗浄ボトルと、
上記洗浄ボトルの上記上端開口を水密に塞ぐ状態に上記上端開口に着脱自在に取り付けられた蓋体と、
上記洗浄ボトル内から上記底孔を通って上記洗浄ボトル外に延出する上記挿入部を緩く囲む状態になるように上記洗浄ボトルの上記底孔に基端が連通接続された可撓性の挿入部収納チューブと、
上記挿入部収納チューブが上記底孔から下方に向かって延出する状態になるように、上記洗浄ボトルを載置するためのボトル支持台と、を有し、
上記洗浄ボトルの中間部分がその上下の部分より細く括れた形状に形成されていて、その括れ部が、上記操作部保持部として上記操作部の下端部付近を載せて保持するようになっている、ことを特徴とするベッドサイドスコープ用洗浄消毒装置。
【請求項２】
請求項１記載のベッドサイドスコープ用洗浄消毒装置において、
上記ボトル支持台が、複数の線材を組み合わせて連結した枠状に形成されているベッドサイドスコープ用洗浄消毒装置。
【請求項３】
請求項２記載のベッドサイドスコープ用洗浄消毒装置において、
上記ボトル支持台が、上記線材の一部を折り曲げることにより折り畳み可能に構成されているベッドサイドスコープ用洗浄消毒装置。
【請求項４】
可撓性の挿入部の基端に操作部が連結された構成のベッドサイドスコープを洗浄消毒するためのベッドサイドスコープ用洗浄消毒装置であって、
上記ベッドサイドスコープを出し入れするための上端開口が上端部に開口形成されて、上記操作部を保持するための操作部保持部が内部に形成されると共に、上記挿入部を下方に延出させるための底孔が底部に開口形成された筒状の洗浄ボトルと、
上記洗浄ボトルの上記上端開口を水密に塞ぐ状態に上記上端開口に着脱自在に取り付けられた蓋体と、
上記洗浄ボトル内から上記底孔を通って上記洗浄ボトル外に延出する上記挿入部を緩く囲む状態になるように上記洗浄ボトルの上記底孔に基端が連通接続された可撓性の挿入部収納チューブと、
上記挿入部収納チューブが上記底孔から下方に向かって延出する状態になるように、上記洗浄ボトルを載置するためのボトル支持台と、を有し、
上記ボトル支持台が、複数の線材を組み合わせて連結した枠状に形成されており、且つ、上記線材の一部を折り曲げることにより折り畳み可能に構成されている、ことを特徴とするベッドサイドスコープ用洗浄消毒装置。
【請求項５】
請求項１ないし４のいずれか１項記載のベッドサイドスコープ用洗浄消毒装置において、
上記洗浄ボトルの少なくとも一部が透明に形成されていて、その透明部に、上記洗浄ボトル内に入れられる液量の目安となる液量目安線が形成されているベッドサイドスコープ用洗浄消毒装置。
【請求項６】
請求項１ないし５のいずれか１項記載のベッドサイドスコープ用洗浄消毒装置において、
上記挿入部収納チューブが上記洗浄ボトルに対し着脱可能に取り付けられているベッドサイドスコープ用洗浄消毒装置。
【請求項７】
請求項１ないし６のいずれか１項記載のベッドサイドスコープ用洗浄消毒装置において、
上記挿入部収納チューブの先端が封止されているベッドサイドスコープ用洗浄消毒装置。
【請求項８】
請求項１ないし６のいずれか１項記載のベッドサイドスコープ用洗浄消毒装置において、
上記挿入部収納チューブの先端が開放されているベッドサイドスコープ用洗浄消毒装置。
【発明の詳細な説明】
【技術分野】
【０００１】
この発明はベッドサイドスコープ用洗浄消毒装置に関する。
【背景技術】
【０００２】
内視鏡室での内視鏡検査は患者にとって負担が大きい場合がある。そこで、病室のベッドや在宅のままで内視鏡検査を手軽に行うことができるよう、簡便なベッドサイドスコープ（簡易型内視鏡）が用いられている（例えば、特許文献１）。
【０００３】
ただし、そのようなベッドサイドスコープであっても、使用後に洗浄消毒等を行う必要があることに変わりがない。そこで従来は、使用済の内視鏡を収容袋に収容した状態で搬送ケース内に入れて洗浄消毒することができるようにしたものがある（例えば、特許文献２）。
【先行技術文献】
【特許文献】
【０００４】
【特許文献１】特開２０００−１８９３８２
【特許文献２】特開２００９−１３１２９５
【発明の概要】
【発明が解決しようとする課題】
【０００５】
内視鏡を洗浄消毒するためには、洗浄消毒液が必要である。そこで、特許文献２に記載された発明においては、洗浄消毒液を補給するための洗浄消毒ユニットが搬送ケースに内蔵されていて、複数の接続チューブで収容袋内やその他の被洗浄部と連通接続される。
【０００６】
しかし、特許文献２に記載された発明においては、そのような複数の接続チューブの接続及び分離作業が洗浄消毒毎に毎回必要となるので、洗浄消毒作業が煩雑であると共に、搬送ケースが大型で重いものになってしまい、持ち運び性に優れず、且つ装置としてコスト高なものになっていた。
【０００７】
本発明は、持ち運び性や洗浄消毒作業が簡単で、しかも装置としてコストを低く抑えることができるベッドサイドスコープ用洗浄消毒装置を提供することを目的とする。
【課題を解決するための手段】
【０００８】
本発明のベッドサイドスコープ用洗浄消毒装置は、その一態様では、可撓性の挿入部の基端に操作部が連結された構成のベッドサイドスコープを洗浄消毒するためのベッドサイドスコープ用洗浄消毒装置であって、上記ベッドサイドスコープを出し入れするための上端開口が上端部に開口形成されて、上記操作部を保持するための操作部保持部が内部に形成されると共に、上記挿入部を下方に延出させるための底孔が底部に開口形成された筒状の洗浄ボトルと、上記洗浄ボトルの上記上端開口を水密に塞ぐ状態に上記上端開口に着脱自在に取り付けられた蓋体と、上記洗浄ボトル内から上記底孔を通って上記洗浄ボトル外に延出する上記挿入部を緩く囲む状態になるように上記洗浄ボトルの上記底孔に基端が連通接続された可撓性の挿入部収納チューブと、上記挿入部収納チューブが上記底孔から下方に向かって延出する状態になるように、上記洗浄ボトルを載置するためのボトル支持台と、を有し、上記洗浄ボトルの中間部分がその上下の部分より細く括れた形状に形成されていて、その括れ部が、上記操作部保持部として上記操作部の下端部付近を載せて保持するようになっている、ことを特徴としている。
【０００９】
本発明のベッドサイドスコープ用洗浄消毒装置は、別の態様では、可撓性の挿入部の基端に操作部が連結された構成のベッドサイドスコープを洗浄消毒するためのベッドサイドスコープ用洗浄消毒装置であって、上記ベッドサイドスコープを出し入れするための上端開口が上端部に開口形成されて、上記操作部を保持するための操作部保持部が内部に形成されると共に、上記挿入部を下方に延出させるための底孔が底部に開口形成された筒状の洗浄ボトルと、上記洗浄ボトルの上記上端開口を水密に塞ぐ状態に上記上端開口に着脱自在に取り付けられた蓋体と、上記洗浄ボトル内から上記底孔を通って上記洗浄ボトル外に延出する上記挿入部を緩く囲む状態になるように上記洗浄ボトルの上記底孔に基端が連通接続された可撓性の挿入部収納チューブと、上記挿入部収納チューブが上記底孔から下方に向かって延出する状態になるように、上記洗浄ボトルを載置するためのボトル支持台と、を有し、上記ボトル支持台が、複数の線材を組み合わせて連結した枠状に形成されており、且つ、上記線材の一部を折り曲げることにより折り畳み可能に構成されている、ことを特徴としている。
【発明の効果】
【００１１】
本発明によれば、細長い挿入部収納チューブがつながれた洗浄ボトルとボトル支持台とをバラバラにして簡単に持ち運ぶことができ、構造が簡単かつ小型なものになるので装置としてコストを低く抑えることができ、しかも、病室や在宅検査等でも洗浄ボトルに内視鏡を浸漬するだけで内視鏡の洗浄消毒を簡単に行うことができる。
【図面の簡単な説明】
【００１２】
【図１】本発明の実施例に係るベッドサイドスコープ用洗浄消毒装置の斜視図である。
【図２】本発明の実施例に係るベッドサイドスコープ用洗浄消毒装置の部分縦断面図である。
【図３】本発明の実施例に係る洗浄ボトルの保管時の状態の斜視図である。
【図４】本発明の実施例に係るベッドサイドスコープ用洗浄消毒装置の縦断面図である。
【図５】本発明の実施例に係るベッドサイドスコープ用洗浄消毒装置の斜め側方から見た斜視図である。
【図６】本発明の実施例に係るベッドサイドスコープ用洗浄消毒装置の斜め上方から見た斜視図である。
【図７】本発明の実施例に係るベッドサイドスコープ用洗浄消毒装置の図４におけるVII−VII断面図である。
【図８】本発明の実施例に係るベッドサイドスコープ用洗浄消毒装置の使用状態の縦断面図である。
【図９】本発明の実施例に係るベッドサイドスコープ用洗浄消毒装置の使用状態の斜め上方から見た斜視図である。
【図１０】本発明の実施例に係るベッドサイドスコープ用洗浄消毒装置の図８におけるＸ−Ｘ断面図である。
【図１１】本発明の実施例に係るベッドサイドスコープ用洗浄消毒装置がすすぎに使用されている状態の縦断面図である。
【発明を実施するための形態】
【００１３】
以下、図面を参照して本発明の実施例を説明する。
図１はベッドサイドスコープ用洗浄消毒装置を示している。ベッドサイドスコープ用洗浄消毒装置は大きく分けると、洗浄ボトル１０と、洗浄ボトル１０の下端部に連通する状態に接続された挿入部収納チューブ２１と、洗浄ボトル１０を垂直に保持するためのボトル支持台３０とにより構成されている。
【００１４】
洗浄ボトル１０は、ほぼ清涼飲料水用のペットボトルを逆さにして、中間部分に括れ部１３が形成されたような筒状に形成されている。洗浄ボトル１０は、例えばＰＥＴ等のような透明なプラスチック材等で形成されている。ただし、他の素材で形成されていても差し支えない。
【００１５】
１１は、括れ部１３より上側に位置する上側タンク部、１２は、括れ部１３より下側に位置する下側タンク部である。なお、下側タンク部１２を設けずに、括れ部１３が洗浄ボトル１０の下端まで形成された形状に構成してもよい。
【００１６】
洗浄ボトル１０の上端部（即ち、上側タンク部１１の上端部）には、洗浄消毒対象であるベッドサイドスコープを洗浄ボトル１０内に出し入れするための上端開口１４が開口形成されている。１５は、上端開口１４を水密に塞ぐ状態に上端開口１４に着脱自在に取り付けられた蓋体である。蓋体１５は上端開口１４に螺合している。
【００１７】
洗浄ボトル１０の下端部（即ち、下側タンク部１２の下端部）には、底孔１６が形成されている。この底孔１６部分の構成は、公知の清涼飲料水用ペットボトルの口元と同様であり、その外周部にねじキャップ２２が着脱自在に螺合されている。
【００１８】
ただし、ねじキャップ２２は底孔１６を塞ぐためだけのものではなく、可撓性を有する薄い筒状の挿入部収納チューブ２１の基端を、底孔１６部分に連通接続した状態に固定している。なお、ねじキャップ２２が、洗浄ボトル１０に対して着脱不能に固定されたものであっても差し支えない。
【００１９】
ボトル支持台３０は、洗浄ボトル１０を床面よりある程度高い位置に垂直に保持することができる簡便な構成のものであればよい。図１には、洗浄ボトル１０をボトル支持台３０より上方に浮かせて図示してあるが、後述する図４等に図示されるように、洗浄ボトル１０の下端から下方に向かう挿入部収納チューブ２１が、床面に沿った状態の時に小さな曲率半径で急激に曲げられないようにしておくのがよい。
【００２０】
図１に示されるように、ボトル支持台３０は複数の金属材又はプラスチック材の線材を組み合わせて連結した枠状に形成されており、例えば、洗浄ボトル１０の周囲を囲んで保持する複数のリング状線材３２と、その複数のリング状線材３２をつなぎ合わさった状態に連結する複数の縦線材３１とからなる。複数のリング状線材３２のうちの載置用リング状線材３２Ａには、洗浄ボトル１０の底部が載置されて保持される。
【００２１】
９０°間隔で４本設けられている縦線材３１の下半部の足部３１Ａは各々、図１に二点鎖線で図示されているように上方に折り曲げることができ、それによって、ボトル支持台３０を運搬し易い状態に折り畳むことができる。したがって、持ち運びが容易である。３３と３４は各々、使用時に足部３１Ａが広がりすぎるのを防止するために、着脱自在に装着された広がり抑制リングである。
【００２２】
図２は、蓋体１５が着脱自在に取り付けられている上側タンク部１１の上端部の部分縦断面である。蓋体１５は、洗浄ボトル１０の上端開口１４の外周面に形成されたネジ部１８に螺合装着されると共に、内周面のシール嵌合部１９において水密にシールされた状態に洗浄ボトル１０に取り付けられている。したがって、図３に示されるように、洗浄ボトル１０を上下ひっくり返した状態にしても、蓋体１５部分から漏水するようなことがない。
【００２３】
蓋体１５は上端開口１４の大きさに相当する円形の平面を備えている。したがって洗浄ボトル１０は、ボトル支持台３０に保持されていない保管状態では、図３に示されるように上下を反対向きにひっくり返した状態の方が安定がよい。
【００２４】
そこで、使用準備が整うまでの間、洗浄ボトル１０は図３に示されるように上下ひっくり返した状態で保管される。その場合、洗浄ボトル１０内には洗浄液又は消毒液等が充填されている。
【００２５】
その充填量を適正なものにするために、少なくとも下側タンク部１２は透明な材質で形成されていて、液量目安線１７がその全周に（必ずしも全周でなくてもよいが）形成され、洗浄液又は消毒液等が、液量目安線１７の位置まで充填されて準備されている。
【００２６】
この段階においては、挿入部収納チューブ２１は平らに潰されて渦巻き状に巻かれて畳まれた状態になっている。その外側からゴムバンド等を巻き付けてその状態を固定し、使用時にゴムバンド等を取り外すようにしてもよい。
【００２７】
図３に示されるような洗浄ボトル１０は、洗浄処理用の洗浄液入りと消毒処理用の消毒液入りの他、すすぎ処置用として、洗浄ボトル１０内に液が充填されていないものを準備するとよい。挿入部収納チューブ２１は、洗浄用及び消毒用の場合は先端が封止されており、すすぎ用の場合には先端が開放されている。装置はこれで全部なので、小型で運搬し易く、また装置コストを極めて低く抑えることができる。
【００２８】
図４〜図６は、洗浄ボトル１０がボトル支持台３０に載せられて、洗浄ボトル１０から蓋体１５が外された状態を示している。図４、図５に示されるように、洗浄ボトル１０は主にボトル支持台３０の載置用リング状線材３２Ａに載せられた状態になって保持されている。
【００２９】
挿入部収納チューブ２１の先端２１ａは封止されており、保管時に洗浄ボトル１０内に充填されていた洗浄消毒液４０が洗浄ボトル１０内から挿入部収納チューブ２１内にも流入して充満する。挿入部収納チューブ２１内に気泡が残っている場合には、挿入部収納チューブ２１を指先等でしごいて気泡を洗浄ボトル１０内側に押し出せばよい。
【００３０】
図６には、括れ部１３の上端部の形状が部分的に見えている。図４におけるVII−VII断面を図示する図７に示されるように、洗浄ボトル１０は括れ部１３において細幅な形状に形成されていて、その上端部付近にベッドサイドスコープ５０の操作部５２が上方から嵌め込まれて保持されるようになっている。
【００３１】
図８は、そのようにセットされた洗浄ボトル１０内に、ベッドサイドスコープ５０が、洗浄消毒のために収納された状態を図示している。図９は、その状態を斜め上方から見た斜視図、図１０は、図８におけるＸ−Ｘ断面図であり、括れ部１３に操作部５２が保持された状態が示されている。
【００３２】
図９に示される５４は、ベッドサイドスコープ５０の操作部５２の側面に設けられている光源ユニット接続筒５３（観察光源となる豆電球又はＬＥＤ等とその電源電池）とがユニットになっている光源ユニットが接続される筒状の部材）を水密に封止する着脱自在な防水蓋である。なお、接続筒側に豆電球又はＬＥＤを配置するようにしてもよい。
【００３３】
豆電球等の電源となる電池は、洗浄消毒時にはケースごと取り外され、それに代えて防水蓋５４が取り付けられる。なお、ベッドサイドスコープ５０が、電池ケースに代えて、ＤＣ電源コード又は接続式ライトガイドファイババンドル等が着脱自在に接続される構造を備えたものであっても差し支えない。
【００３４】
図８に示されるように、洗浄ボトル１０内から底孔１６を通って洗浄ボトル１０外に延出するベッドサイドスコープ５０の挿入部５１は、洗浄ボトル１０の底孔１６部分に基端が連通接続された可撓性の挿入部収納チューブ２１内に緩く囲まれた状態になって、全周面が洗浄液又は消毒液にさらされる。
【００３５】
このようにして、ベッドサイドスコープ５０の可撓性を有する挿入部５１と操作部５２を洗浄液又は消毒液内に一定時間以上浸漬することにより、その洗浄、消毒を行うことができる。使用済みの洗浄ボトル１０の上端開口１４には、ベッドサイドスコープ５０を取り出した後で蓋体１５を取り付け、排水処理施設等において排水する。
【００３６】
洗浄消毒後のベッドサイドスコープ５０を水道水等ですすぐ場合には、図１１に示されるように、挿入部収納チューブ２１の先端２１ａが開放された装置を用い、洗浄ボトル１０の上端開口１４から洗浄ボトル１０内に水道水等を一定時間以上流水として流し込み、挿入部収納チューブ２１の先端２１ａから排出させる。
【００３７】
このようにして、本発明のベッドサイドスコープ用洗浄消毒装置を用いることにより、病室のベッドや在宅のままで内視鏡検査後のベッドサイドスコープの洗浄消毒を手軽に行うことができる。なお、消毒、洗浄、すすぎ等の手順は使用状態に対応して決めればよく、環境によっては、洗浄消毒液のみの一回で終了することが可能の場合もあり、逆に、念をいれて洗浄、消毒を行う必要がある場合には、例えば、洗浄、すすぎ、消毒、すすぎの４工程等としても差し支えない。
【符号の説明】
【００３８】
１０  洗浄ボトル
１３  括れ部（操作部保持部）
１４  上端開口
１５  蓋体
１６  底孔
１７  液量目安線
１８  ネジ部
２１  挿入部収納チューブ
２１ａ  先端
３０  ボトル支持台
３１  縦線材（線材）
３１Ａ  足部（線材）
３１  リング状線材（線材）
３２Ａ  載置用リング状線材（線材）
４０  洗浄消毒液
５０  ベッドサイドスコープ
５１  挿入部
５２  操作部
【図１】
0005544310.tif 000002
【図２】
0005544310.tif 000003
【図３】
0005544310.tif 000004
【図４】
0005544310.tif 000005
【図５】
0005544310.tif 000006
【図６】
0005544310.tif 000007
【図７】
0005544310.tif 000008
【図８】
0005544310.tif 000009
【図９】
0005544310.tif 000010
【図１０】
0005544310.tif 000011
【図１１】
0005544310.tif 000012